(57)【要約】【課題】  本発明は、ユーザーニーズに応じ、情報表示の角度を任意に変更することができ、ユーザーがより確認し易い使い勝手の良い情報表示装置を備えたズームレンズの提供を目的とする。【解決手段】  本発明では、使用者の状況に応じ、例えば操作形態がサーボ方式から一軸二操作方式へ変更された場合、前記表示状態を回転または表示方向、表示角度を変更することにより視覚的に判断し易い角度でレンズ状態を確認可能な情報表示装置を達成している。【選択図】  図１
2005215574.tif 000002
【特許請求の範囲】
【請求項１】
レンズ状態の情報取得手段と、前記レンズ状態の情報取得手段の出力に基づき前記レンズ状態を表示する手段を有し、前記表示手段の表示状態を回転または表示方向、表示角度を変更可能としたことを特徴とするズームレンズ。
【請求項２】
レンズの傾斜角度を検出する手段を有し、前記角度情報に基づき前記表示手段の表示状態を回転または表示方向、表示角度を変更可能としたことを特徴とする請求項１に記載のズームレンズ。
【請求項３】
ズーム・フォーカスの操作形態について、サーボ方式・一軸二操作方式の切り換えを検出する手段を有し、前記切り換え情報に基づき表示状態を回転または表示方向、表示角度を変更可能としたことを特徴とする請求項１に記載のズームレンズ。
【請求項４】
前記レンズ状態とは、ズーム、フォーカス、アイリス、マクロ、画角、画界、Ｔナンバー、エクステンダーの挿脱或いは倍率、及び電源、防振、画角変化補正装置のＯＮ／ＯＦＦを指し、何れか一つ以上の項目を表示することを特徴とする請求項１乃至３に記載のズームレンズ。
【請求項５】
駆動機構を有し、前記駆動機構により前記表示手段全体を駆動回転させることを特徴とする請求項１乃至４に記載のズームレンズ。
【請求項６】
前記表示手段はドットマトリクスで構成され、表示方向、表示角度を変更可能としたことを特徴とする請求項１乃至４に記載のズームレンズ。
【請求項７】
エクステンダーの挿脱に伴い、ズーム、アイリスの数値をエクステンダーの倍率換算し、表示することを特徴とする請求項６記載のズームレンズ。
【請求項８】
前記表示状態は、表示項目数、表示位置及び大きさ、数値表示又はグラフ表示の切り換え、グラフの形態を任意に設定可能であることを特徴とする請求項６乃至７に記載のズームレンズ。
【請求項９】
前記表示手段は、電源投入時に前記レンズ状態の何れか一つ以上の表示をすることとし、且つ電源投入時の表示状態を任意に設定可能であることを特徴とする請求項６乃至８に記載のズームレンズ。
【請求項１０】
前記表示手段は、ズームレンズの電源ＯＮ／ＯＦＦに関わらず表示をＯＦＦすることが可能であることを特徴とする請求項６乃至９に記載のズームレンズ。
【発明の詳細な説明】
【技術分野】
【０００１】
本発明は、ズームレンズの情報表示装置に関するものである。
【背景技術】
【０００２】
図２に示す放送用大型ズームレンズでは、図３に示すインジケータと称する情報表示装置がレンズ側面に設置されている。このインジケータには、複数のＬＥＤが垂直方向に配置され点灯の状態によりズームの状態、アイリスの状態を表示する機能、内蔵エクステンダーの挿脱状態および変換倍率を表示する機能、スイッチャブルモード（４：３←→１６：９）の状態を表示する機能等を有するものが一般的である。
【０００３】
インジケータを用いた表示方法は視認性に優れ、遠くから見てもズーム状態・アイリス状態等のレンズ状態が確認し易い為、放送用大型ズームレンズに広く採用されている。
【０００４】
特許文献１として、同時に複数の撮影情報を表示することが可能であり、且つ個別の撮影情報の表示が容易に認識可能である（拡大表示させられる）カメラの（ドットマトリクスで構成された）液晶表示装置が提案されている。
【特許文献１】特開平４−２８１４３８
【発明の開示】
【発明が解決しようとする課題】
【０００５】
ところで、インジケータは撮影者のみならず、ディレクターや他の撮影者もその情報を確認し使用している。その為、遠くから見て表示が確認し易いことが望まれている。しかし、撮影では、レンズを斜め上や斜め下に向け使用することが珍しくなく、従来のインジケータでは、レンズ傾けた場合にインジケータも傾くことになり、遠くから見て直感的な理解がし難くなるという問題があった。
【０００６】
一方、放送用大型ズームレンズのズーム操作形態には、サーボ方式と一軸二操作方式の二通りがある。サムリングを左右に倒すことでズーム操作を行なうサーボ方式では、表示方向が光軸方向と垂直である従来の方式で問題ないが、操作棒を光軸方向に押し引きすることでズーム操作を行なう一軸二操作方式においては、ズーム操作方向と表示方向が異なる為、感覚的な理解がし難いという問題があった。特に近年、１つのレンズでサーボ方式と一軸二操作方式の切り換えが可能な兼用型ズームレンズが普及してきている為、大きな問題となってきている。
【０００７】
更に、従来のインジケータは、エクステンダーが挿入された場合にもズーム・アイリスの目盛りが変更できない為、実際の焦点距離やＦナンバーと異なった値を示すこととなり、直感的な理解がし難いという問題があった。
【０００８】
このようなことから従来のインジケータは、撮影状況や使用者、使用方法の違いにより、必ずしも最適な表示形態になっているとは言えなかった。
【０００９】
本発明は、このような従来技術の問題点に鑑みてなされたもので、ユーザーニーズに応じ、情報表示の角度を任意に変更することができ、ユーザーがより確認し易い使い勝手の良い情報表示装置を備えたズームレンズの提供を目的とする。
【課題を解決するための手段】
【００１０】
本発明におけるズームレンズは、
１）レンズ状態の情報取得手段と、前記レンズ状態の情報取得手段の出力に基づき前記レンズ状態を表示する手段を有し、前記表示手段の表示状態を回転または表示方向、表示角度を変更可能としたことを特徴としている。
【００１１】
２）請求項１に記載の発明において、レンズの傾斜角度を検出する手段を有し、前記角度情報に基づき前記表示手段の表示状態を回転または表示方向、表示角度を変更可能としたことを特徴としている。
【００１２】
３）請求項１に記載の発明において、ズーム・フォーカスの操作形態について、サーボ方式・一軸二操作方式の切り換えを検出する手段を有し、前記切り換え情報に基づき表示状態を回転または表示方向、表示角度を変更可能としたことを特徴としている。
【００１３】
４）請求項１乃至３に記載の発明において、前記レンズ状態とは、ズーム、フォーカス、アイリス、マクロ、画角、画界、Ｔナンバー、エクステンダーの挿脱或いは倍率、及び電源、防振、画角変化補正装置のＯＮ／ＯＦＦを指し、何れか一つ以上の項目を表示することを特徴としている。
【００１４】
５）請求項１乃至４に記載の発明において、駆動機構を有し、前記駆動機構により前記表示手段全体を駆動回転させることを特徴としている。
【００１５】
６）請求項１乃至４に記載の発明において、前記表示手段はドットマトリクスで構成され、表示方向、表示角度を変更可能としたことを特徴としている。
【００１６】
７）請求項６に記載の発明において、エクステンダーの挿脱に伴い、ズーム、アイリスの数値をエクステンダーの倍率換算し、表示することを特徴としている。
【００１７】
８）請求項６乃至７に記載の発明において、前記表示状態は、表示項目数、表示位置及び大きさ、数値表示又はグラフ表示の切り換え、グラフの形態を任意に設定可能であることを特徴としている。
【００１８】
９）請求項６乃至８に記載の発明において、前記表示手段は、電源投入時に前記レンズ状態の何れか一つ以上の表示をすることとし、且つ電源投入時の表示状態を任意に設定可能であることを特徴としている。
【００１９】
１０）請求項６乃至９に記載の発明において、前記表示手段は、ズームレンズの電源ＯＮ／ＯＦＦに関わらず表示をＯＦＦすることが可能であることを特徴としている。
【００２０】
請求項１は、各種レンズ状態の情報取得をする為の手段と、前記取得情報に基づき前記レンズ状態を表示する為の情報表示装置を有しており、前記情報表示装置に表示させている表示状態を回転または表示方向、表示角度を変更可能としている。このことにより、使用者の状況に応じて適切な表示をすることが可能となる。尚、表示方向、表示角度は任意に設定できるが、操作形態とズーム・フォーカス・アイリスを示すバーの表示状態を考慮すると、サーボ方式のときは光軸方向と垂直方向に前記バーが表示されるように角度を設定し、一軸二操作方式のときは光軸方向と水平方向に前記バーが表示されるように角度を設定することが望ましい。
【００２１】
請求項２では、レンズの傾斜角度を検出する為の手段を有し、前記角度情報に基づき前記情報表示装置の表示状態を回転または表示方向、表示角度を変更させることが可能であるとしている。このことにより、レンズを傾けて使用する場合にも、前記情報表示が一緒に傾くことはなくなり、遠くからレンズ情報を確認する場合、より確認し易くなる。
【００２２】
請求項３は、サーボ方式・一軸二操作方式の切り換え検出装置を有することで、前記情報表示装置に表示させている表示状態を、前記切り換え情報に基づき回転または表示方向、表示角度を変更させることが可能であるとしている。このことにより、サーボ方式・一軸二操作方式の両方式において、前記望ましい表示方向、表示角度へ前記バーを表示させることが可能となる。
【００２３】
請求項４では、前記情報表示装置に表示させる前記レンズ状態を、一つ以上表示させることが可能であるとしている。このことにより、撮影状況に応じ、使用者が得たい情報を表示させることが可能となる。
【００２４】
請求項５は、モーター等の駆動機構を用い、前記情報表示装置全体を駆動回転させることを可能としている。このことにより、前記望ましい表示方向、表示角度へ前記バーを表示させることが可能となる。
【００２５】
請求項６では、前記情報表示装置をドットマトリクスで構成することで、表示方向、表示角度を変更可能としている。このことにより、５）に前述したように表示装置自体を回転させることなく、表示装置を固定したままで、表示状態を回転させることが可能となり、前記望ましい表示方向、表示角度へ前記バーを表示させることが可能となる。
【００２６】
請求項７は、エクステンダーの挿脱に伴い、ズーム、アイリスの数値をエクステンダーの倍率換算し、表示させることを可能としている。従来の手法では、目盛りが固定であった為に、エクステンダーを挿入しても、表示される焦点距離やＦナンバーは挿入前と同じ値を示したままであったが、表示装置がドットマトリクスで構成されていることで、目盛りも自由に設定することができ、エクステンダー倍率換算された目盛りや数値を表示させることが可能となる。
【００２７】
請求項８では、６）や７）において表示させる項目数、位置、大きさ、及び、数値表示又はグラフ表示の切り換え、グラフの形態を任意に設定可能としている。このことにより、使用者の状況に応じて得たいレンズ情報を見やすい形態で得ることが可能となる。
【００２８】
請求項９は、前記ドットマトリクスで構成された情報表示装置に、一つ以上のレンズ情報を表示させることが可能であり、且つ電源投入時の表示状態を任意に設定可能であるとしている。このことにより、電源投入時に毎回設定することなく、使用者が任意に望む表示状態、表示方向、表示角度で表示ざせることが可能となる。
【００２９】
請求項１０は、前記情報表示装置がレンズの電源のＯＮ／ＯＦＦに関わらず、表示をＯＮ／ＯＦＦすることができるとしている。このことにより、不要な電流を使用することなく、得たい情報のみを得ることが可能となる。
【発明の効果】
【００３０】
以上説明したように、使用者の状況に応じ、例えば操作形態がサーボ方式から一軸二操作方式へ変更された場合、前記表示状態を回転または表示方向、表示角度を変更することにより視覚的に判断し易い角度でレンズ状態を確認可能な情報表示装置を達成できる。
【発明を実施するための最良の形態】
【００３１】
以下、本発明の実施形態について、説明する。
【実施例１】
【００３２】
図１は、実施例１に関わるレンズの構成を示す図である。図１において、ズームレンズＺＬのフォーカス、ズーム、アイリス、エクステンダー挿脱状態が変化した際、フォーカス位置検出装置ＦＤ、ズーム位置検出装置ＺＤ、アイリス位置検出装置ＩＤ、エクステンダー挿脱検出装置ＥＤ、マクロ位置検出装置ＭＤがＺＬの状態変化を検出し、その情報を演算処理装置ＣＰＵが演算し、情報表示装置ＩＮＤに表示する。
【００３３】
操作形態（サーボ方式ｏｒ一軸二操作方式）検出装置ＯＤが検出した信号に基づき、モーター等の電動駆動装置Ｍを駆動制御し、前記ＩＮＤを回転させることで、サーボ方式でのズーム操作においては、図３のように光軸方向と垂直方向にズーム・フォーカス・アイリスを示すバーを表示させ、一軸二操作方式でのズーム操作においては、図４のように９０°回転させ、光軸（操作）方向と水平方向に前記バーを表示させることができる。
【００３４】
このことにより、サーボ方式・一軸二操作方式のどちらでズーム・フォーカスを操作する場合にも、使用者が違和感のない理解し易い表示となる。
【実施例２】
【００３５】
図６は、実施例２に関わるレンズの構成を示す図である。図６において、ズームレンズＺＬのフォーカス、ズーム、アイリス、エクステンダー挿脱状態が変化した際、フォーカス位置検出装置ＦＤ、ズーム位置検出装置ＺＤ、アイリス位置検出装置ＩＤ、エクステンダー挿脱検出装置ＥＤ、マクロ位置検出装置ＭＤがＺＬの状態変化を検出し、その情報を演算処理装置ＣＰＵが演算し、情報表示装置ＤＩＳＰに表示する。尚、前記ＤＩＳＰはドットマトリクスで構成されている。
【００３６】
設定装置ＳＵで表示形態を設定し、情報記録装置ＭＥＭに前記表示形態情報を保存し、前記ＤＩＳＰに前記ＭＥＭで保存された前記表示形態情報に基づく前記ＺＬの状態情報を表示したものが図７であり、前記ＺＬのズーム・フォーカス・アイリスの位置をグラフと数字を用いて表示している。この際、ズーム・フォーカス・アイリスの位置を示すバーは黒く塗られた量で全域に対する現在の位置を示しており、光軸方向と垂直方向に表示されている。そして、そのレンズ状態を保ったまま前記ＳＵを用いて、前記ＤＩＳＰの表示形態を変更したものが図８である。この際、ズーム・フォーカス・アイリスの位置を示すバーは光軸方向と水平方向を向いている。
【００３７】
このように、図７から図８に表示形態を変更することで、表示装置全体を回転させることなく、表示情報を９０°回転させたことと同義になり、前記ＯＤが検出した信号に基づき、サーボ方式でのズーム操作の際には図７のように表示し、一軸二操作方式でのズーム操作の際には図８のように表示させることが可能となる。
【００３８】
このことにより、操作形態によらず表示情報の確認が容易となる最適な表示形態を実現することが可能となる。
【００３９】
以下、実施例２における表示装置の表示形態を示していく。
【００４０】
１）図９は、図８のズーム、フォーカス、アイリスの位置を保ったまま、ズーム、アイリスを目盛りと共に表示させたものである。表示装置がドットマトリクスで構成されている為、このように得たい情報のみを選択し、より分かり易く表示させることが可能である。更に、図９のようにグラフの起点を図上の左方向にとることも可能である。
【００４１】
２）図１０は、図９のズーム、アイリスの位置を保ったまま２倍エクステンダーを挿入した状態を表示させたものであり、２倍エクステンダーの挿入を示す文字が左上に表示されている（Ｅｘｔ．２．０ｘ）。
【００４２】
その際、ズーム位置を示すバーの長さは図９と同じであり、目盛りがエクステンダー倍率換算した値に変更されている。アイリスは目盛りが図９と同じであり、バーの長さが変更されている。
【００４３】
ズーム、アイリス共にどちらの表示方法も可能であり、任意に設定が可能である。
【００４４】
３）図１１は、図６で示される画角補正装置ＣＡ、防振装置ＩＳをＯＮにし、マクロ位置検出装置ＭＤが検出したマクロ移動量を、絶対値にて１０００で規格化された目盛りと共に表示させたものである。画角補正装置が起動していることを示す文字（ＣＡ）、防振装置が起動していることを示す文字（ＩＳ）、マクロが起動していることを示す文字（ＭＡ）がそれぞれ表示装置上部に示されている。このように、現在どの装置が働いているのか表示することが可能である。
【００４５】
マクロの移動量が分かることで、効果としてピントボケを使う場合にも、移動量を確認することが可能となる。
【００４６】
４）図１２は、ズーム、フォーカスの値を示し、演算から求められた画角、画界の値をそれぞれ表示している。このような表示により、画角と画界を視覚的に判断することが容易になる。尚、フォーカスが∞の位置にある際は、画界は表示されない。
【００４７】
５）図１３は、図６で示される前記ＭＥＭに記憶されている製造誤差を含むレンズ固有の透過率情報に基づく、Ｔナンバーを表示させたものである。このようにＦナンバーだけはでなく、製造誤差も含む正確なＴナンバーを表示させることも可能である。
【００４８】
以上のような形態での表示が可能である。また、前記ＤＩＳＰは、使用していない時、電源をＯＦＦすることが可能であり、更に設定情報を前記Ｍが記憶していることで、電源再投入時にも以前の設定を即座に呼び出し、表示させることが可能である。
【実施例３】
【００４９】
図１４は、実施例３に関わるレンズの構成を示す図である。図１４において、ズームレンズＺＬのフォーカス、ズーム、アイリス、エクステンダー挿脱状態が変化した際、フォーカス位置検出装置ＦＤ、ズーム位置検出装置ＺＤ、アイリス位置検出装置ＩＤ、エクステンダー挿脱検出装置ＥＤ、マクロ位置検出装置ＭＤがＺＬの状態変化を検出し、その情報を演算処理装置ＣＰＵが演算し、情報表示装置ＤＩＳＰに表示する。
【００５０】
角度検出装置ＡＳをレンズ内部に備え、前記ＡＳで検出された角度情報が前記ＣＰＵに送られ、前記情報が演算処理された信号に基づき前記ＤＩＳＰの表示状態の角度が変更され表示される。
【００５１】
このことにより、図１５のように、レンズが傾いている状態にあっても、表示状態は傾くことはなく、遠くからレンズ状態を確認する際、直感的な判断がよりし易くなる。
【図面の簡単な説明】
【００５２】
【図１】実施例１のレンズ全体の構成を示す図。
【図２】従来のレンズ本体図。
【図３】インジケータの拡大図。
【図４】一軸二操作方式時のインジケータの図。
【図５】実施例１のレンズ本体図。
【図６】実施例２のレンズ全体の構成を示す図。
【図７】ドットマトリクスにより構成された表示装置の表示例。
【図８】ドットマトリクスにより構成された表示装置の表示例。
【図９】ドットマトリクスにより構成された表示装置の表示例。
【図１０】ドットマトリクスにより構成された表示装置の表示例。
【図１１】ドットマトリクスにより構成された表示装置の表示例。
【図１２】ドットマトリクスにより構成された表示装置の表示例。
【図１３】ドットマトリクスにより構成された表示装置の表示例。
【図１４】実施例３のレンズ全体の構成を示す図。
【図１５】レンズを傾けて使用する際の表示装置表示例。
【符号の説明】
【００５３】
ＺＬ  ズームレンズの光学系全体
ＩＮＤ  情報表示装置（ＬＥＤで構成）
ＤＩＳＰ  情報表示装置（ドットマトリクスで構成）
ＣＰＵ  演算処理装置
ＦＤ  フォーカス位置検出装置
ＺＤ  ズーム位置検出装置
ＩＤ  アイリス位置検出装置
ＭＤ  マクロ位置検出装置
ＥＤ  エクステンダー挿脱検出装置
ＯＤ  操作形態（サーボ方式ｏｒ一軸二操作方式）検出装置
Ｍ  電動駆動装置
ＳＵ  設定装置
ＣＡ  画角変化補正装置のＯＮ／ＯＦＦ
ＩＳ  防振装置のＯＮ／ＯＦＦ
ＭＥＭ  情報記録装置
ＡＳ  角度検出装置
【図１】
2005215574.tif 000003
【図２】
2005215574.tif 000004
【図３】
2005215574.tif 000005
【図４】
2005215574.tif 000006
【図５】
2005215574.tif 000007
【図６】
2005215574.tif 000008
【図７】
2005215574.tif 000009
【図８】
2005215574.tif 000010
【図９】
2005215574.tif 000011
【図１０】
2005215574.tif 000012
【図１１】
2005215574.tif 000013
【図１２】
2005215574.tif 000014
【図１３】
2005215574.tif 000015
【図１４】
2005215574.tif 000016
【図１５】
2005215574.tif 000017